(57)【要約】【課題】バイクや自転車の運転、フォークリフトや農業機械などの運転・操作、冷凍庫内作業や海上作業など、冷気に曝される作業を行う際に装着する保温性に優れた、軽くて薄い手袋を提供することを目的とする。【解決手段】手の親指を収容する第１の指袋と、該親指以外の４本指を一括して収容する第２の指袋とを備え、気密性を有する弾性部材により形成されたミトン型手袋であって、該第２の指袋に収容された４本指は、該第２の指袋から、指先方向に交わる指幅方向の圧力を受けることを特徴とする。【選択図】図１
2008223163.tif 000002
【特許請求の範囲】
【請求項１】
手の親指を収容する第１の指袋と、該親指以外の４本指を一括して収容する第２の指袋とを備え、気密性を有する弾性部材により形成されたミトン型手袋であって、該第２の指袋に収容された４本指は、該第２の指袋から、指先方向に交わる指幅方向の圧力を受けることを特徴とするミトン型手袋。
【請求項２】
前記第２の指袋は、前記４本指が収容されたときに、指先方向所定位置における前記指幅方向の内寸法が拡大し、該第２の指袋に収容された４本指が前記指幅方向の圧力を受けることを特徴とする請求項１記載のミトン型手袋。
【請求項３】
前記第２の指袋に前記４本指が収容される前の前記指幅方向の内寸法は、前記指先方向の位置が指先に近ければ近いほど小さいことを特徴とする請求項１記載のミトン型手袋。
【請求項４】
手首を入れる口部を備え、該口部は、開口端縁から前記第２の袋部の中央に向けて切込部分を有し、該切込部分の一方の切片に、他方の切片と係合する舌片が延設されたものであることを特徴とする請求項１記載のミトン型手袋。
【請求項５】
前記口部は、前記他方の切片及び前記舌片双方に面ファスナが貼着されたものであって、該面ファスナ相互が係合することにより手首に固定されることを特徴とする請求項４記載のミトン型手袋。
【発明の詳細な説明】
【技術分野】
【０００１】
本発明は、冷気に曝される作業に着用するミトン型手袋に関する。
【背景技術】
【０００２】
バイクや自転車の運転、フォークリフトやブルドーザなどの重機の運転、冷凍庫内作業や海上作業など、冷気に曝される作業には手袋が欠かせない。このため、気密性の高いゴム系部材を使用した防寒手袋などが提案されている（特許文献１参照）。
しかし、５本指タイプの手袋は、指の動きに合わせて各指袋が独立して動くので作業性がよい反面、各指先は、冷気の影響を受けて冷たくなったり、痛くなったりすることがある。
そこで、冷気の影響を受けにくくするために、綿や毛糸でできた５本指タイプの手袋をした上に重ねて着用すると、指の股が各手袋の指袋によって広げられるため、長時間使用していると指に疲労感が残る反面、指先の冷えはそれほど改善されないという課題がある。
一方、ミトンタイプの手袋は、４本指が１つの指袋に入り、その指袋に収容された各指相互は体温で温められるため、５本指タイプの手袋に較べ保温性がよいという特徴がある反面、物を掴んだりするとき指を動かしても指袋が指の動きに追随せず、作業性が悪いという特徴がある。
そこで、ミトンタイプの手袋の長所を生かし、短所を改善するため、４本指を入れる指袋の内部に、人差指を挿入する部分とそれ以外の指を挿入する部分との仕切りを設ける方法（特許文献２参照）や、４本指を入れる指袋の内部に、各指を挿入する４つの指袋を設ける方法（特許文献３参照）などが提案されている。
さらに、５本指タイプの手袋の長所である作業性を生かすと共に、ミトンタイプの手袋の長所である保温性を生かすため、５本指タイプの手袋の甲側に収納袋を設け、その中にミトンタイプのカバー（オーバーミトン）を収納し、両者の長所を併用できるようにしたもの（特許文献４参照）も提案されている。
【特許文献１】特開平７−３２８１７５号
【特許文献２】実用新案登録第３０２７０５２号
【特許文献３】実用新案登録第３０７１５４０号
【特許文献４】特開２００４−３６０１１９号
【発明の開示】
【発明が解決しようとする課題】
【０００３】
しかしながら、ミトンタイプの手袋を使用して、物を握ることが主体の作業を行う場合には、４本指を収容した指袋が各指の動きに合わせて追随する必要性は少ないうえ、ミトン型手袋の指袋内部に各指の指袋を設けることや、仕切りを設けることは、ミトンタイプの手袋の長所である保温効果を減殺してしまうことになる。また、ミトンタイプの手袋であっても保温性を向上させるために保温材を入れるのは、手袋が厚手になりグリップ力が減殺され、作業性が一層低下する。
本発明は、上記事情に鑑み、バイクや自転車の運転、フォークリフトや農業機械などの運転・操作、冷凍庫内作業や海上作業など、冷気に曝される作業を行う際に装着する保温性に優れた、軽くて薄い手袋を提供することを目的とする。
【課題を解決するための手段】
【０００４】
本発明のミトン型手袋は、手の親指を収容する第１の指袋と、該親指以外の４本指を一括して収容する第２の指袋とを備え、気密性を有する弾性部材により形成されたミトン型手袋であって、該第２の指袋に収容された４本指は、該第２の指袋から、指先方向に交わる指幅方向の圧力を受けることを特徴とする。
このように、気密性を有する弾性部材により形成された第２の指袋に４本指が収容されると、第２の指袋に収容された４本指は指幅方向の圧力を受けるので、４本指は互いにぴったりとくっついた状態になる。その結果、指袋が冷気に曝されても４本指相互が体温で温め合うので指先が冷えることはない。また、物を握るなどの際にも指袋の追随性がよく、グリップ力も、素手のときとほとんど変わらない。
ここで、上記第２の指袋は、上記４本指が収容されたときに、指先方向所定位置における上記指幅方向の内寸法が拡大し、該第２の指袋に収容された４本指が上記指幅方向の圧力を受けるようになっていてもよい。
このように第２の指袋に収容された４本指が指先方向全体に渡り圧力を受けるようになっていなくても、指先方向の所定位置で圧力を受けるように設定されていれば、４本指は互いにぴったりとくっついた状態になる。
また、上記第２の指袋に上記４本指が収容される前の上記指幅方向の内寸法は、上記指先方向の位置が指先に近ければ近いほど小さいことも好ましい態様である。
このように上記第２の指袋の指幅方向の内寸法が、指先に近い位置ほど小さくなっていれば、４本指と指袋との隙間が極小になるので、４本指相互の体温で速やかに温められ、４本指の指先が冷えることはない。
ここで、手首を入れる口部を備え、該口部は、開口端縁から上記第２の袋部の中央に向けて切込部分を有し、該切込部分の一方の切片に、他方の切片と係合する舌片が延設されたものであることも好ましく、上記口部は、上記他方の切片及び上記舌片双方に面ファスナが貼着されたものであって、該面ファスナ相互が係合することにより手首に固定されることも好ましい。
このように、口部に切込部分を設け、切込部分の一方の切片に設けた舌片と他方の切片とを面ファスナなどで係合するようにすれば、手首に口部がしっかりと固定され、手袋が外れることはない。
【発明の効果】
【０００５】
本発明のミトン型手袋は、バイクや自転車の運転、フォークリフトや農業機械の運転、海上作業などの屋外作業や、冷凍庫内作業など、冷気に曝される作業に使用しても十分な保温力とグリップ力とが得られ、長時間使用しても疲れない。
【発明を実施するための最良の形態】
【０００６】
以下に、本発明のミトン型手袋の実施形態について説明する。
図１は、本発明のミトン型手袋の実施形態を示す外観図である。
図１に示す本実施形態のミトン型手袋１は、手の親指を収容する第１の指袋１０と、親指以外の４本指を一括して収容する第２の指袋２０と、手首を入れる口部３０と、を有する。
第２の指袋２０に４本指を収容すると、指先方向（矢印Ａ方向）と直交する指幅方向（矢印Ｂ方向）に拡張され、第２の指袋２０の内部における指幅の寸法（本発明の内寸法に相当する）は大きくなる。そして、第２の指袋２０に収容された４本指は、Ｂ方向に拡張された第２の指袋２０から圧力を受けるので、収容された指相互がぴったりとくっついた状態となる。
また、本実施形態の口部３０の手の甲側には、開口端縁３１から第２の指袋２０の中央に向けて、切込部分３２があり、その切込部分３２の一方の切片３３に、他方の切片３４と係合する舌片３５が延設されている。また、他方の切片３４の表面及び舌片３５の裏面（図には現れていない）にはそれぞれ面ファスナ４０が貼着されているので、他方の切片３４の表面に貼着された面ファスナ４０と舌片３５の裏面に貼着された面ファスナ（図には現れていない）とを係合させれば、手首に口部３０がしっかりと固定され、ミトン型手袋１が外れることがない。
ここで、本実施形態のミトン型手袋１は、天然ゴム、イソプレンゴム、ブタジエンゴム、クロロプレンゴムなどの耐候性、耐摩耗性、耐熱性、伸縮性を有するゴムシートを型抜きして手の平側部材と手の甲側部材を形成し、手の平側部材及び手の甲側部材双方を縫い合わせるか、又は熱を加えて接着剤で貼合わせる方法により作成してもよいし、ゴムラテックス中に予め作成した手袋の型を侵漬して一体成形する方法により作成してもよく、製造方法、及び素材には限定されない。なお、手の甲側部材及び手の平側部材は、共にゴムシート単層でもよいし、手の平側部材は、ゴムシートの外表面に機械的強度に優れたウレタンゴム、ポリアミド繊維などを貼着した２層構造のものであってもよい。さらに、手の甲側部材及び手の平側部材のゴムシート内表面に綿又は毛などのメッシュ状繊維を貼着してもよい。
このように、ミトン型手袋１が気密性を有する弾性部材によって形成されていれば、外気が遮断されると共に、第２の指袋に４本指を入れたときに、指幅方向に拡張され、内部の寸法は指幅に合わせて容易に大きくなる。なおクロロプレンゴムで形成すれば、機械的強度、耐候性、耐熱性、耐寒性などにバランスがとれた手袋が得られる。
また、ゴムシートの外表面に機械的強度に優れたウレタンゴム、ポリアミド繊維などを貼着した２層構造のものを手の平側部材とすれば、物を握ることが多い作業に使用しても、手の平側が破損する恐れが少ないし、ゴムシート内表面に綿又は毛などのメッシュ状繊維を貼着すれば、指先がゴムシートに直接接触することがなく、メッシュ状繊維及び空気の断熱効果により手袋の保温効果が一層高まる。
なお、本実施形態の口部３０は、手の甲側に切込部分３２と、その切込部分の一方の切片３３に延設された舌片３５と、が設けられ、面ファスナ４０で他方の切片３４と舌片３５とを係合させることによりミトン型手袋１が外れるのを防止しているが、必ずしもこの方法に限定される必要はなく、口部３０の周りにゴムを通し、そのゴムの弾性力で手首に固定し、外れないようにしてもよい。また、侵漬法により一体成形する場合には、切込部分３２を設けず、口部３０の開口を手首に合わせて調整することによりミトン型手袋１が外れるのを防止してもよい。
【０００７】
図２は、第２の指袋に４本指が収容される前のミトン型手袋の手の平側を示す図であり、図３は第２の指袋に４本指が収容された後のミトン型手袋の手の平側を示す図である。
図２及び図３において、第２の指袋２０に４本指が収容される指先方向（矢印Ａ方向）をＹ軸にとり、口部３０の開口端縁３１からの距離をｙとし、第２の指袋２０の内部の、距離ｙの位置での４本指の指幅の寸法（本発明の内寸法）をｗとする。
図２において、Ｙ軸上の点Ｐ１、Ｐ２は、本実施形態のミトン型手袋１の第２の指袋２０に４本指が入る指先方向（矢印Ａ方向）の任意の位置に相当し、口部３０の開口端縁３１からそれらの位置までの距離は、それぞれｙ１、ｙ２であり、第２の指袋２０に４本の指が入る内寸法は、それぞれｗ１、ｗ２である。いま、ｙ１とｙ２との間に、ｙ１＜ｙ２という関係があり、対応するｗ１とｗ２との間にも、ｗ１＞ｗ２という関係があれば、指先方向（矢印Ａ方向）の任意の位置における内寸法は、指先に近ければ近いほど小さいといえる。
このように第２の指袋の内寸法が、指先に近い位置ほど小さくなっていれば、第２の指袋における４本指と指袋との隙間は極小になるので、４本指は体温で速やかに温められ、指先が冷えることはない。
図３において、本発明の指先方向所定位置に相当する位置が、Ｙ軸上の点Ｐ１であり、そのときの内寸法をｗ１１とすれば、ｗ１１は、図２に示す点Ｐ１の内寸法ｗ１よりも大きい（ｗ１１＞ｗ１）。すなわち、第２の指袋に収容された４本指によって指先方向所定位置（Ｐ１）における指幅方向（矢印Ｂ方向）の内寸法が拡大し、第２の指袋２０に収容された４本指は、第２の指袋２０から圧力Ｆを受け、指相互がぴったりとくっついた状態となる。その結果、指袋が冷気に曝されても４本指は互いに体温で温め合い、指先が冷えることはない。また、指を動かしたときの指袋の追随性もよく、物を握る際のグリップ力も、素手のときとほとんど変わらない。
【０００８】
図４は、本実施形態のミトン型手袋を着用してバイクのハンドルを握った状態を一例として示す図であり、図５は、従来例の５本指タイプの手袋を着用してバイクのハンドルを握った状態を比較例として示す図である。
図５において、従来例の５本指タイプの手袋を着用してバイクを運転するときは、親指ａを下に、人差指ｂ、中指ｃ、薬指ｄ、及び小指ｅを上にしてバイクのグリップ５０を握る。そのとき、親指ａ、人差指ｂ、中指ｃ、薬指ｄ、及び小指ｅはそれぞれの指袋５５が別個に外気に曝されるので、各指の体温は急速に奪われ、指先が冷たくなる。また、グリップ５０にヒータが入っていても、ヒータの熱は手の平には伝わり易いが、各指には伝わりにくい。
図４において、本実施形態のミトン型手袋１を着用してバイクを運転するときは、図５と同様に親指ａを下に、人差指ｂ、中指ｃ、薬指ｄ、及び小指ｅを上にしてバイクのグリップ５０を握る。しかしながら、人差指ｂ、中指ｃ、薬指ｄ、及び小指ｅはぴったりくっついた状態で単一の第２の指袋２０に密着して収容されるので、第２の指袋２０が外気に曝されても、その第２の指袋２０と各指との接触面は、図４の場合よりも小さいうえ、各指は相互の体温で速やかに温められて一種の温室効果を呈し、指先が冷たくなることはない。また、グリップ５０にヒータが入っている場合には、ヒータの熱は第２の指袋２０を介して内部が全体的に温められるので、指先を含む手先全体が急速に温められる。
本実施形態のミトン型手袋は、気密性を有する弾性部材により形成され、４本指が入る第２の指袋２０に収容された各指相互は、互いにぴったりとくっついた状態となるので、体温による保温効果が高く、手袋自体を薄く、軽くすることができる。このため、素手とほんどかわらない状態で物を握ることができる。なお、弾性部材の厚さや材質を変えてインナー用とアウター用のミトン型手袋を作成し、用途に応じて、インナー用にアウター用を重ねて着用したり、単独で着用したりすることもできる。
【産業上の利用可能性】
【０００９】
手袋素材の気密性、撥水性、耐候性、耐熱性、耐寒性を生かして、農業、漁業、建築業、土木業、通信業、運輸業、公益・公共事業、サービス業などの分野において、主として屋外作業の防寒、防水、防風用途にも適用できる。
【図面の簡単な説明】
【００１０】
【図１】本発明のミトン型手袋の実施形態を示す外観図である。
【図２】第２の指袋に４本指が収容される前のミトン型手袋の手の平側を示す図である。
【図３】第２の指袋に４本指が収容された後のミトン型手袋の手の平側を示す図である。
【図４】本実施形態のミトン型手袋を着用してバイクのハンドルを握った状態を一例として示す図である。
【図５】従来例の５本指タイプの手袋を着用してバイクのハンドルを握った状態を比較例として示す図である。
【符号の説明】
【００１１】
１      ミトン型手袋
１０    第１の指袋  
２０    第２の指袋
３０    口部
３１    開口端縁
３２    切込部
３３    一方の切片
３４    他方の切片
３５    舌片
４０    面ファスナ
５０    グリップ
５５    指袋
【図１】
2008223163.tif 000003
【図２】
2008223163.tif 000004
【図３】
2008223163.tif 000005
【図４】
2008223163.tif 000006
【図５】
2008223163.tif 000007